(57)【特許請求の範囲】
【請求項１】
収納具本体の開口から出し入れ可能に奥行き方向にスライド移動可能な引き出しを備える収納具であって、
前記開口から前記引き出しが脱落しないようにしながら、前記引き出しを引き出した状態で前記奥行き方向に対して垂直且つ前記引き出しを通る軸線を中心として前記収納具本体及び前記引き出しの相対回転を可能とする案内機構を前記開口の内側及び前記引き出しの間に備え、
前記軸線方向に見た図において前記引き出しの外郭は略四角形状であり、
前記軸線方向に見た図において前記収納具本体の外郭は略四角形状であり、
前記軸線方向に見た図の前記収納具本体の外郭の略四角形状の角付近を中心として前記開口が設けられ、
前記引き出しの上面には仕切りによって仕切られ収納物を収納する為の凹形状が複数設けられ、
前記引き出しの外郭の略四角形状の角を中心として隣り合う二辺を貫通する穴が前記凹形状を避けるように設けられる、
収納具。
【発明の詳細な説明】
【技術分野】
【０００１】
本発明は、収納具に関する。
【背景技術】
【０００２】
収納具においては、特許文献１の実施例のように収納具本体の開口から出し入れ可能に奥行き方向にスライド移動可能な引き出しを備え、引き出しが脱落しないように規制する機構が収納具本体の開口の内側及び引き出しの間に設けられているものが多い。
また、特許文献１の実施例のように収納具本体の複数の開口に対して複数の引き出しが積み重なるように配置されるものが多い。
【０００３】
【特許文献１】特開２００２−０５８５５６号公報
【発明の開示】
【発明が解決しようとする課題】
【０００４】
収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る収納具は、例えば図１から図６の組みのように、
収納具本体１の開口２から出し入れ可能に奥行き方向にスライド移動可能な引き出し３を備える収納具であって、
開口２から引き出し３が脱落しないようにしながら、引き出し３を引き出した図２のような状態で前記奥行き方向に対して垂直且つ引き出し３を通る軸線４を中心として収納具本体１及び引き出し３の相対回転を可能とする案内機構を開口２の内側及び引き出し３の間に備え、
軸線４方向に見た例えば図６右図において引き出し３の外郭２０は略四角形状であり、
軸線４方向に見た例えば図２左図において収納具本体１の外郭１９は略四角形状であり、
軸線４方向に見た例えば図２左図の収納具本体１の外郭１９の略四角形状の角１８付近を中心として開口２が設けられ、
引き出し３の上面１７には仕切りによって仕切られ収納物を収納する為の凹形状が複数設けられ、
例えば図３のように引き出し３の外郭２０の略四角形状の角を中心として隣り合う二辺を貫通する穴１１が前記凹形状を避けるように設けられる、収納具である。
【発明の効果】
【０００７】
以上のように本発明では、収納具本体１から引き出し３をあまり引き出さなくても、軸線４を中心として引き出し３を相対回転させることで引き出し３の奥側と手前側の収納物をどちらも容易且つ収納物の散乱を防ぎながら取り出せるようになり、且つ引き出し３の収納量を十分確保するような設計が容易となり、且つ部屋の角や机の角に収納具を設置するような場合に収まりがよく、且つ引き出し３を引き出しやすく、軸線４を中心として相対回転させやすいような設計が容易となる。
【発明を実施するための最良の形態】
【０００８】
〔第１実施形態〕
図１から６において、収納具本体１は、樹脂製の上側部材５の接着面７に設けられた突起２１及び穴２２を、樹脂製の下側部材６の接着面８に設けられた穴２３及び突起２４にそれぞれ嵌め合わせ接着面７及び８を接着することによって立方体箱状になる。また、軸線４方向から見た例えば図１左図のように、収納具本体１の外郭１９は正方形状であり、角１８を中心として隣り合う二辺の部分が開口２となっている。
また、引き出し３は立方体箱状の樹脂製で、軸線４方向から見た例えば図６左図のように、引き出し３の外郭２０は正方形状であり、外郭２０の中心を通るように配置された軸線４を中心とする円柱状の突起２６が底面１５に設けられ、引き出し３をスライド移動させ相対回転させる際に指を掛ける為の穴１１から１４が外郭２０の４つの角付近にそれぞれ設けられ、仕切りによって仕切られ収納物を収納する為の凹形状が上面１７に設けられている。
開口２内側の下面１０に設けられた溝形状２５に突起２６が案内される案内機構によって、図１のような引き出し３を入れた状態と図２のような引き出し３を出した状態の間で、収納具本体１の奥行き方向に正確且つ引き出し３が脱落しないように出し入れ可能であり、且つ図２のような状態から図３のような状態に引き出し３を軸線４中心に４５度回転可能である。また、引き出し３は軸線４中心に複数回転可能である。
【０００９】
〔第２実施形態〕
第２実施形態は、第１実施形態の引き出し３を図７のものに変更したものである。
図７の引き出し３は、図６の引き出し３の上面１７にも軸線４を中心とする円柱状の突起２７を設けたものである。また、開口２内側の上面９には溝形状２５とおよそ鏡像関係にあり突起２７が案内される溝形状が新たに設けられている。ここで、突起２６及び溝形状２５を取り去っても、案内機構は機能する。
【００１０】
〔第３実施形態〕
第３実施形態は、第１実施形態の引き出し３を図８のものに変更したものである。
図８の引き出し３は、突起２６を取り去り、底面１５の縁部２８以外が凹形状となるようにしたものである。
また、開口２内側の下面１０の溝形状２５が取り去られ、底面１５の凹形状に案内される円柱状の突起が下面１０の中心付近に新たに設けられている。
縁部２８に下面１０の突起が当たるまで引き出し３を引き出すと図２のような状態になり、縁部２８に突起が案内されるように引き出し３を相対回転可能である。
【図面の簡単な説明】
【００１１】
【図１】第１実施形態の引き出し３を入れた状態を第三角法で表す図
【図２】第１実施形態の引き出し３を出した状態を第三角法で表す図
【図３】第１実施形態の引き出し３を回転させた状態を第三角法で表す図
【図４】第１実施形態の収納具本体１の上側部材５を第三角法で表す図
【図５】第１実施形態の収納具本体１の下側部材６を第三角法で表す図
【図６】第１実施形態の引き出し３を第三角法で表す図
【図７】第２実施形態の引き出し３を第三角法で表す図
【図８】第３実施形態の引き出し３を第三角法で表す図
【符号の説明】
【００１２】
１.                                                    収納具本体
２.                                                    開口
３.                                                    引き出し
４.                                                    軸線
５.                                                    上側部材
６.                                                    下側部材
７,８.                                               接着面
９,１７.                                           上面
１０.                                                下面
１１,１２,１３,１４,２２,２３.   穴
１５.                                                底面
１６.                                                外周部
１８.                                                角
１９,２０.                                       外郭
２１,２４,２６,２７.                     突起
２５.                                                溝形状
２８.                                                縁部
【要約】
【課題】    収納具本体から引き出しを引き出す際、引き出し移動先の空間の障害物を退けなければ十分に引き出せない場合が多い。また、十分に引き出さなければ引き出しの奥側に収納した物を取り出しにくくなる。また、季節や気分によって引き出しの奥側と手前側の収納物を入れ替えたいことがあるが、このとき引き出しの脱落防止機構を解除して引き出しを完全に取り外して作業しようとすると、手が滑って引き出しをひっくり返し収納物を散乱させてしまうことがよくある。
【解決手段】  開口（２）から引き出し（３）が脱落しないようにしながら、引き出し（３）を引き出した状態で奥行き方向に対して垂直且つ引き出し（３）を通る軸線（４）を中心として収納具本体（１）及び引き出し（３）の相対回転を可能とする案内機構を開口（２）の内側及び引き出し（３）の間に備える。
【選択図】         図３【図１】
0004330031.tif 000002
【図２】
0004330031.tif 000003
【図３】
0004330031.tif 000004
【図４】
0004330031.tif 000005
【図５】
0004330031.tif 000006
【図６】
0004330031.tif 000007
【図７】
0004330031.tif 000008
【図８】
0004330031.tif 000009